(57)【特許請求の範囲】
【請求項１】
滑具(51)を含むループ状の捕獲部(50)を有し、上記滑具(51)のスライドによって上記捕獲部(50)が絞られるワイヤロープ(5)と、受アーム(1)と、跳上げ方向に付勢して設けてあり先部には上記ワイヤロープ(5)を引き上げるワイヤ絞り具(23)を有する跳上アーム(2)と、上記受アーム(1)の先部に回動可能に設けられ、上記跳上アーム(2)を付勢力に抗した状態で掛止し、下方へ回動することにより上記跳上アーム(2)の掛止を解除する踏板受具(3)とを備えている足括り罠の作動制御装置であって、
受アーム(1)に取付可能な先端部材(11)を有しており、
上記先端部材(11)の先端部には踏板受具(3)を回動できるように掛止できる掛止隙間部(76)が設けられており、
ケース(71)(72)を有し、ケース(71)(72)の内部には作動制御部材(77)と制御手段が水密に封鎖されて収容してあり、
上記作動制御部材(77)は、上記掛止隙間部(76)内で上記踏板受具(3)の回動平面と交差するよう移動して上記踏板受具(3)の回動阻止及び阻止解除を行うよう構成してあり、
上記制御手段は、光センサーによる周囲の明るさの検知または限時手段による所定の時間帯において、上記作動制御部材を移動させて上記踏板受具(3)の回動を阻止して罠が作動不能となるようにし、その他の時間帯においては上記作動制御部材を上記踏板受具(3)の回動を阻止しない位置に移動させて罠が作動可能になるよう構成してあることを特徴とする、
足括り罠の作動制御装置。
【請求項２】
滑具(51)を含むループ状の捕獲部(50)を有し、上記滑具(51)のスライドによって上記捕獲部(50)が絞られるワイヤロープ(5)と、受アーム(1)と、跳上げ方向に付勢して設けてあり先部には上記ワイヤロープ(5)を引き上げるワイヤ絞り具(23)を有する跳上アーム(2)と、上記受アーム(1)の先部に回動可能に設けられ、上記跳上アーム(2)を付勢力に抗した状態で掛止し、下方へ回動することにより上記跳上アーム(2)の掛止を解除する踏板受具(3)とを備えている足括り罠の作動制御装置であって、
受アーム(1)に取付可能な先端部材(11)を有しており、
上記先端部材(11)の先端部には踏板受具(3)を回動できるように掛止できる掛止隙間部(76)が設けられており、
ケース(71)(72)を有し、ケース(71)(72)の内部にはロックピン(75)と制御手段が水密に封鎖されて収容してあり、
ケース(72)のうち掛止隙間部(76)に対応する壁部にはロックピン(75)が進退するピン孔(77)が貫通して設けてあり、
掛止隙間部(76)には踏板受具(3)を回動可能に掛止する掛止ピン(79)が固定してあり、
上記ロックピン(77)は、上記掛止隙間部(76)内で上記踏板受具(3)の回動平面と交差するよう移動し上記踏板受具(3)のロック孔(35)へ挿通して回動阻止及び逆に移動して阻止解除を行うよう構成してあり、
上記制御手段は、光センサーによる周囲の明るさの検知または限時手段による所定の時間帯において、上記作動制御部材を移動させて上記踏板受具(3)の回動を阻止して罠が作動不能となるようにし、その他の時間帯においては上記作動制御部材を上記踏板受具(3)の回動を阻止しない位置に移動させて罠が作動可能になるよう構成してあることを特徴とする、
足括り罠の作動制御装置。
【請求項３】
滑具(51)を含むループ状の捕獲部(50)を有し、上記滑具(51)のスライドによって上記捕獲部(50)が絞られるワイヤロープ(5)と、受アーム(1)と、跳上げ方向に付勢して設けてあり先部には上記ワイヤロープ(5)を引き上げるワイヤ絞り具(23)を有する跳上アーム(2)と、上記受アーム(1)の先部に回動可能に設けられ、上記跳上アーム(2)を付勢力に抗した状態で掛止し、下方へ回動することにより上記跳上アーム(2)の掛止を解除する踏板受具(3)とを備えている足括り罠と、
請求項１または２記載の足括り罠の作動制御装置と、
を備えており、
上記作動制御装置は上記受アーム(1)の先部に接続されており、上記踏板受具(3)は掛止隙間部(76)に回動可能に掛止されていることを特徴とする、
足括り罠。
【発明の詳細な説明】
【０００１】
【発明の属する技術分野】
本発明は足括り罠の作動制御装置及びそれを備えた足括り罠に関するものである。更に詳しくは、夜間にのみ作動し、昼間は作動しないようにする制御が正確にできる足括り罠の作動制御装置及びそれを備えた足括り罠に関する。
【０００２】
【従来技術】
狩猟用法定猟具である足括り罠は、昼間は作動装置である引き金等を解除して作動しないようにし、乙種猟師が使用する猟犬が罠にかかったり、猟師自身が罠にかかることを防止するのが望ましい。
従来の罠においては、罠のセット（作動可能な状態）及びセット解除（作動不能な状態）は甲種猟師が手動で行う必要があり、毎日朝夕に罠を仕掛けた場所を巡回して罠のセットとセット解除を行うので、罠及び罠周辺に人間臭が残り、目的獣に感知されて罠に掛かりにくくなっていた。このため、罠は一旦セットされると、セット解除されることなく作動可能な状態のまま設置されているのが実情である。
従って、上記したような、昼間に乙種猟師や猟犬が罠を作動させてしまって怪我をすることによるトラブルが後を絶たない。
【０００３】
これを解決するものとして、昼間には作動せず、夜間にのみ作動するよう制御できるようにした罠が実開昭６１−１１５０８１号公報に開示されている。この罠は、ロックピンソレノイドで作動するロックピンを光センサーを使用することにより制御し、跳上ピンを掛止している引き金を昼間はロックピンで後方から支えてロックすることによって罠が作動しないようにし、夜間はロック解除して罠が作動するようにしたものである。
【０００４】
【発明が解決しようとする課題】
しかし、上記公報記載の罠には次のような課題があった。
（ａ）引き金を後方からシリンダーロッドで支えてロックする構造であるので、踏板が踏まれたときにシリンダーロッドの軸方向に大荷重がかかることを想定しなければならない。従って、耐久性が高い大型のエアシリンダーが必要であり、更にエアシリンダーの固定部分の構造も強固にする必要があるので、罠が大型化して重量が重くなるばかりでなく、製造コストが高くなる。
【０００５】
（ｂ）上記公報に記載された罠のロックピンソレノイドは地中穴の内部にむき出しになっているので、ロックピンと引き金との間に草や木の葉が挟まったり、あるいは凍結した土が邪魔になったりして引き金のロックが不安定となる場合がある。
【０００６】
本発明は上記課題を解決するもので、夜間には罠を作動可能なようにし、昼間には罠が作動しないようにする足括り罠において、罠を小型軽量化して製造コストを安価に抑えるようにすると共に罠の制御が正確にできる、足括り罠の作動制御装置及びそれを備えた足括り罠を提供することを目的とする。
【０００７】
【課題を解決するための手段】
上記課題を解決するために講じた本発明の手段は次のとおりである。
第１の発明にあっては、
滑具を含むループ状の捕獲部を有し、上記滑具のスライドによって上記捕獲部が絞られるワイヤロープと、受アームと、跳上げ方向に付勢して設けてあり先部には上記ワイヤロープを引き上げるワイヤ絞り具を有する跳上アームと、上記受アームの先部に回動可能に設けられ、上記跳上アームを付勢力に抗した状態で掛止し、下方へ回動することにより上記跳上アームの掛止を解除する踏板受具とを備えている足括り罠の作動制御装置であって、
受アームに取付可能な先端部材を有しており、
上記先端部材の先端部には踏板受具を回動できるように掛止できる掛止隙間部が設けられており、
ケースを有し、ケースの内部には作動制御部材と制御手段が水密に封鎖されて収容してあり、
上記作動制御部材は、上記掛止隙間部内で上記踏板受具の回動平面と交差するよう移動して上記踏板受具の回動阻止及び阻止解除を行うよう構成してあり、
上記制御手段は、光センサーによる周囲の明るさの検知または限時手段による所定の時間帯において、上記作動制御部材を移動させて上記踏板受具の回動を阻止して罠が作動不能となるようにし、その他の時間帯においては上記作動制御部材を上記踏板受具の回動を阻止しない位置に移動させて罠が作動可能になるよう構成してあることを特徴とする、
足括り罠の作動制御装置である。
【０００８】
第２の発明にあっては、
滑具を含むループ状の捕獲部を有し、上記滑具のスライドによって上記捕獲部が絞られるワイヤロープと、受アームと、跳上げ方向に付勢して設けてあり先部には上記ワイヤロープを引き上げるワイヤ絞り具を有する跳上アームと、上記受アームの先部に回動可能に設けられ、上記跳上アームを付勢力に抗した状態で掛止し、下方へ回動することにより上記跳上アームの掛止を解除する踏板受具とを備えている足括り罠の作動制御装置であって、
受アームに取付可能な先端部材を有しており、
上記先端部材の先端部には踏板受具を回動できるように掛止できる掛止隙間部が設けられており、
ケースを有し、ケースの内部にはロックピンと制御手段が水密に封鎖されて収容してあり、
ケースのうち掛止隙間部に対応する壁部にはロックピンが進退するピン孔が貫通して設けてあり、
掛止隙間部には踏板受具を回動可能に掛止する掛止ピンが固定してあり、
上記ロックピンは、上記掛止隙間部内で上記踏板受具の回動平面と交差するよう移動し上記踏板受具のロック孔へ挿通して回動阻止及び逆に移動して阻止解除を行うよう構成してあり、
上記制御手段は、光センサーによる周囲の明るさの検知または限時手段による所定の時間帯において、上記作動制御部材を移動させて上記踏板受具の回動を阻止して罠が作動不能となるようにし、その他の時間帯においては上記作動制御部材を上記踏板受具の回動を阻止しない位置に移動させて罠が作動可能になるよう構成してあることを特徴とする、
足括り罠の作動制御装置である。
【０００９】
第３の発明にあっては、
滑具を含むループ状の捕獲部を有し、上記滑具のスライドによって上記捕獲部が絞られるワイヤロープと、受アームと、跳上げ方向に付勢して設けてあり先部には上記ワイヤロープを引き上げるワイヤ絞り具を有する跳上アームと、上記受アームの先部に回動可能に設けられ、上記跳上アームを付勢力に抗した状態で掛止し、下方へ回動することにより上記跳上アームの掛止を解除する踏板受具とを備えている足括り罠と、
請求項１または２記載の足括り罠の作動制御装置と、
を備えており、
上記作動制御装置は上記受アームの先部に接続されており、上記踏板受具は掛止隙間部に回動可能に掛止されていることを特徴とする、
足括り罠である。
【００１０】
光伝送手段としては、例えば光ファイバー、光伝送線路、光導波管などであるが、これらに限定されない。
光センサーとしては、例えば光導電形としてホトセル、光起電力形としてホトダイオード、ホトトランジスタ、その他、光電子放出形、熱電効果形のもの等があるが、これらに限定はされない。
【００１１】
（作  用）
足括り罠の作動制御装置によれば、跳上アームをトリガー手段である踏板受具で掛止して罠を仕掛けた後に、罠の周囲の明るさが所定の明るさより明るいときには作動制御部材が励磁手段等によって移動し、踏板受具の回動が阻止されて罠が作動不能となる。罠周囲の明るさが所定の明るさに満たないときには作動制御部材が踏板受具の回動を阻止しない位置に移動し罠が作動可能となる。
また、限時手段により制御するものにあっては、所定の時間帯においては作動制御部材が移動し、踏板受具の回動が阻止されて罠が作動不能となる。その他の時間帯においては作動制御部材が踏板受具の回動を阻止しない位置に移動し、罠が作動可能になる。
【００１２】
そして、作動制御部材は踏板受具の回動平面と交差するよう移動して踏板受具の回動阻止及び阻止解除を行うので、踏板が踏まれたときには作動制御部材を剪断する方向に荷重がかかり、作動制御部材の強度を強くすれば大荷重でも耐えることができる。
つまり、作動制御部材を移動させる機構部には罠作動時の荷重がかからないので、例えば、耐久性が高い大型のエアシリンダー等の駆動機構部を必要とせず、構造も簡単にできるので、罠を小型化でき、製造コストの安価にできる。
【００１３】
制御手段が、光センサーと、光センサーに罠の周囲の明るさを伝える光伝送手段とを含むものにあっては、
光伝送手段によって光センサーに伝えられる罠の周囲の明るさが所定の明るさより明るいときには、跳上アームを踏板受具で掛止して罠を仕掛けた後の踏板受具の回動が作動制御部材によって阻止され、罠が作動不能となる。
また、罠の周囲の明るさが所定の明るさに満たないときには踏板受具の回動が作動制御部材で阻止されないので罠が作動可能となる。
光伝送手段によれば光センサーから離れた場所の明るさを光センサーに伝えて検知できるので、例えば罠が地面の穴に仕掛られ、かつカムフラージュのために草や木の葉がかぶせてあるときでも、罠の周囲の明るさを光センサーに確実に伝えることが可能である。
【００１４】
作動制御部材がケースの内部に収容してあるものにあっては、罠のカムフラージュに使用される草や木の葉または土が回動阻止手段の作動を邪魔することはないので作動が安定する。従って、夜間に罠を作動可能なようにし、昼間には罠が作動しないようにする罠の制御が確実にできる。
【００１５】
受アームがシャフトと先端部材を備えており、ケースは先端部材と型成形により一体に形成してあるものにあっては、製造時において先端部材にケースを取着する組み立て工程が不要となるので、製造効率が向上する。また、一体化されることによって強度、耐久性が向上する。
【００１６】
先端部材はシャフトに着脱手段を介し固着してあるものにあっては、必要に応じて先端部材を他のものと交換できる。すなわち、例えば作動制御装置を使用しないときには、ケースが一体形成されていない先端部材と交換して、昼間の作動阻止等を行わない通常の罠としての使用が可能となる。
【００１７】
罠の作動制御装置を備えた罠にあっては、光センサーの感度の設定を適正に行うことによって、昼間の明るいときには罠を作動不能とし、夜になって暗くなれば罠を作動可能とする制御を自動的に行うことが可能となる。
また、限時手段によって罠の作動制御を行うものにあっては、悪天候により周囲が暗くなった場合でも影響なく制御ができ、昼間であるにも関わらず罠が作動不能になるような事態を防止できる。
これによって、昼間に猟犬や猟師が罠の踏板などを過って踏んでも罠は作動しないので怪我をすることはなく、作動後に罠を仕掛け直す手間もかからない。また、夜間に目的獣が踏板を踏めば罠は正常に作動する。
【００１８】
【発明の実施の形態】
本発明を図面に示した実施の形態に基づき更に詳細に説明する。
図１は本発明に係る足括り罠の一実施の形態を示す斜視図、図２は図１に示す足括り罠の罠本体を示す側面図、図３は下部先端部材に設けられた作動制御装置の分解斜視図、図４は下部先端部材に設けられた作動制御装置の平面図、図５は光ファイバーの取付構造を示す分解斜視図、図６は踏板受具の係合構造を示す説明図、図７は上部先端部材の斜視図である。
【００１９】
足括り罠Ａは受アーム１と、跳ね上がって、後述するワイヤロープ５のループ状の捕獲部５０を引き絞る跳上アーム２を備えている。
受アーム１はシャフト１０を備えている。シャフト１０の先端部には下部先端部材１１が取り付けてある。
図３を主に参照する。下部先端部材１１は軸ロッド１１０を備えている。軸ロッド１１０の先端部には作動制御装置７のケース７１、７２がロストワックス法による精密鋳造で一体に設けてある。作動制御装置７については後述する。
【００２０】
軸ロッド１１０先部の上部側にはＵ板状のワイヤ案内具１１１が設けてある。ワイヤ案内具１１１の各側板にはそれぞれ軸孔１１２が設けてある。軸孔１１２間には、後述する上部先端部材２１と同様にして滑車１１３が装着されている。  滑車１１３はヘッド部を有する軸ネジ１１４により側板間に配置され、軸ネジ１１４の先部に、後述する上部先端部材２１の滑車２３２と同様、ゴムリングとナットを取り付けて装着される（図７参照）。
【００２１】
軸ロッド１１０の後端部の上部側にはＵ板状の跳上げ防止具１１５が設けてある。跳上げ防止具１１５の各側板の上部にはそれぞれ軸孔１１６が設けてある。  罠の仕掛け前においては、軸孔１１６間にはストッパーネジ１１７が装着されており、ストッパーネジ１１７は跳上アーム２が跳ね上がらないようにする安全装置となる。
軸孔１１６の下側にはストッパーネジ１１７に設けてある紐１１８の一端部を繋ぐ挿通孔１１９が設けてある。なお、ストッパーネジ１１７の先部には蝶ナット１２０が螺合されて抜け防止が図られる。
また軸ロッド１１０の後端部には差込口１２１（図２参照）が設けてあり、その両側部には差込口１２１に貫通する取着孔１２２が設けてある。
【００２２】
跳上げ防止具１１５の下部にはバネ掛止具１２３が設けてある。バネ掛止具１２３の前部にはコイルバネ１８の一端部を掛止する、斜め下方へ切り込まれた掛止部１２４が設けてある（図２参照）。
なお、シャフト１０の先端部には下部先端部材１１の取着孔１２２と対応する挿通孔（図示省略）が直径方向に貫通して設けてある。
そして、下部先端部材１１はシャフト１０先端部に差込口１２１をはめ入れ、取着孔１２２と挿通孔を合せ、ボルト・ナット１２５により取り外し可能に固定されている。なお、本実施の形態では丸棒と円管をボルト・ナット１２５により取り付ける構造であるが、例えば、角棒と角穴管を嵌め合わせてピンで止める構造、丸棒と円管をネジによって螺着する構造等を採用することもできる。
【００２３】
上記作動制御装置７は上記軸ロッド１１０と連続する軸体７０を有し、軸体７０の両側にはケース７１、７２が設けてある。一方のケース７１には収容空間部７０１が設けてあり、内部には電池Ｂが収容される。
他方のケース７２には収容空間部７０２、７０３が設けてある。収容空間部７０３には光センサー（図示省略）を含む制御基板７３が内蔵されている。収容空間部７０２にはソレノイド（自己保持型）７４が内蔵されている。ソレノイド７４は作動制御部材となるロックピン７５を備えている。
【００２４】
ケース７１、７２には、それぞれ蓋板７０４とパッキンシート７０５が取着ネジ７０６を介し装着されて収容空間部７０１、７０２、７０３は水密に封鎖される。
蓋板７０４の上記収容空間部７０３に対応する部分には蓋板７０４を貫通して光ファイバーＦが取り付けてある。
【００２５】
ここで、図５を参照して光ファイバーＦの取り付け部の構造を説明する。
蓋板７０４には収容空間部７０３に貫通して装着孔７０７が設けてある（図示は省略しているがパッキンシート７０５にも同様に孔が設けてある）。装着孔７０７の上部側にはネジ部７０８が設けてあり、その下部にはネジ部７０８より径小の挿通孔（図示省略）が設けてある。
ネジ部７０８には固定ボルト７０９が螺着される。固定ボルト７０９には挿通孔７１０が軸方向へ貫通して設けてある。ネジ部７０８下部には座金７１１とリング状のパッキン７１２が収容される。
【００２６】
光ファイバーＦを取り付ける手順は次のとおりである。
座金７１１とパッキン７１２をネジ部７０８に収容し、ネジ部７０８に固定ボルト７０９を緩く螺合する。
罠が仕掛られる穴から外部へ延出可能な長さに設けられた光ファイバーＦの一端側を固定ボルト７０９の挿通孔７１０から座金７１１、パッキン７１２、更に挿通孔に通し、制御基板７３に設けられた光センサーに近接させ、明るさを検知できるようにする。
そして、固定ボルト７０９をきつく締付けると、パッキン７１２は座金７１１で押し潰されて内径が小さくなり、光ファイバーＦはこれにより水密に挟持される。
【００２７】
上記軸体７０の先端部には縦方向に切欠されて掛止隙間部７６が設けてある。掛止隙間部７６は後述する踏板受具３の下部掛止片３３が動けるように下部掛止片３３の厚さよりやや広い幅に形成してある。
上記ケース７２のうち掛止隙間部７６に対応する壁部にはロックピン７５が進退するピン孔７７が貫通して設けてある。また、ピン孔７７の内部には水密のためのシール部材７８が設けてある（図４参照）。
【００２８】
掛止隙間部７６の上部には掛止ピン７９が横切るようにして固定してある。また、軸体７０の下部には軸受部材７００が設けてある。軸受部材７００はシャフト１０の軸線方向と平行な底面（図示省略）を有している。
軸受部材７００には固定棒ホルダー１３が軸ピン１３０によって前後方向に回動可能に取り付けてある。固定棒ホルダー１３下部はほぼ円筒状に形成されており、上部の後部側には軸受部材７００の底面と当接し、受アーム１を固定棒ホルダー１３の軸線方向と直角状態で支える受具１３１が設けてある。
なお、軸体７０の下部には軸受部材７００と隣接してバネ掛止具７１３が設けてある。
【００２９】
上記作動制御装置７の掛止ピン７９と後述する上部先端部材２１の掛止片２３３にはトリガー手段である踏板受具３が掛止される。
踏板受具３は踏板４を受けるＬ板状の受部材３０を備えている。受部材３０の両端寄りには拡開片３１が立設されている。受部材３０の後部側中央部には、上部掛止片３２が受部材３０と直角に設けてある。上部掛止片３２の下部にはほぼＬ型の下部掛止片３３が垂設されている。下部掛止片３３の先端上部には掛止ピン７９に掛止される掛止凹部３４が設けてある。
また、掛止凹部３４の下方には、掛止凹部３４を掛止ピン７９に掛止したときに上記ロックピン７５に対応するロック孔３５が設けてある。
【００３０】
跳上アーム２はシャフト２０を備えている。シャフト２０の先端部には上部先端部材２１が設けてある。シャフト２０の中間部には横方向へ貫通した通孔２５が設けてある。
図７を参照する。
上部先端部材２１はロストワックス法による精密鋳造で型成形されている。上部先端部材２１は軸ロッド２２を備えている。軸ロッド２２の先端部には斜め下方へ傾斜したワイヤ絞り具２３が設けてある。軸ロッド２２の後端部には、シャフト２０の先端部を差込む差込口２４（図２参照）が設けてある。
【００３１】
ワイヤ絞り具２３は所要間隔をおいて設けられた側板２３０を備えている。各側板２３０には、それぞれ軸孔２３８が設けてある。各側板２３０の前部には、この軸孔２３８を中心とする円弧状に張出したガード部２３１が設けてある。ガード部２３１の縁部は、側板２３０間に装着される滑車２３２の周縁より張出すように設けてある。
ガード部２３１によれば、罠作動時に後述するワイヤロープ５の滑具５１が滑車２３２に当たることがないので滑車２３２は破損しない。従って、例えば捕獲に失敗して滑車２３２が残っている場合には、そのまま使用することができる。また、滑車２３２の周縁部がガード部２３１の縁部より内側にあるので、罠作動時に草などを巻き込みにくく、滑車２３２の回転に支障をきたすことを防止できる。
【００３２】
また、従来の罠では跳上げアームが跳ね上がるときに滑具の下縁部が踏板受具を掛止する掛止部に瞬間的に引っ掛り、ワイヤロープが滑具を摺通する際の抵抗が大きくなって、ワイヤロープの捕獲部を引き絞るタイミングが遅れて目的獣を逃がしてしまうことがあった。
しかし、本発明に係る罠ではガード部２３１が前方に張出していることによって、滑具５１が後述する掛止片２３３に引っ掛ることはなく、ワイヤロープ５の捕獲部５０を引き絞るタイミングが遅れることを防止できる。
【００３３】
各側板２３０の下端部には、上部に平面部２３４を有する掛止片２３３が設けてある。上記滑車２３２はヘッド部を有する軸ネジ２３５により側板２３０間に配置され、軸ネジ２３５の先部にゴムリング２３６とナット２３７を取り付けて装着される。
滑車２３２の上部側の隙間部分がワイヤ挿通部２３９となっており、ワイヤ挿通部２３９の位置は、跳上アーム２が跳ね上がる際の軸線の作動軌跡と重なる位置に設けてある。
上部先端部材２１はシャフト２０先端部に差込口２４を嵌め入れ、溶接によって固着されている。なお、上部先端部材２１を上記下部先端部材１１と同様にボルト・ナット等を介し取り外し可能に取着することもできる。
【００３４】
図１、図２を参照する。
受アーム１の後部には受基部アーム１９が設けてある。また、跳上アーム２の後部には跳上基部アーム２９が設けてある。受基部アーム１９と跳上基部アーム２９は軸ピン２７により回動可能に軸着されている。
受基部アーム１９の後部側は板状に形成されており、前端部はやや折曲され円管状に形成されて差込口１９０が設けてある。
【００３５】
なお、１９１はストッパー段部であり、跳上基部アーム２９の下側の前縁部が当たることにより跳上げアーム２と受アーム１が一定の開き角度で止まるようになっている。これによると、ワイヤロープ５のストッパーピン５４の位置設定など罠のセッティングがしやすく、捕獲率も向上する。
跳上基部アーム２９の後部側は板状に形成されており、前端部はやや折曲され円管状に形成されて差込口２９０が設けてある。また、跳上基部アーム２９の後端部にはコイルバネ１８の一端部を掛止する掛止部２９１が設けてある。
【００３６】
受基部アーム１９、跳上基部アーム２９は、シャフト１０、２０先端部に差込口１９０、２９０をはめ入れ、溶接によって固着されている。なお、受基部アーム１９と跳上基部アーム２９は上記下部先端部材１１と同様にボルト・ナット等を介し取り外し可能に取着することもできる。
そして、掛止部１２４、２９１間には、跳上アーム２を跳ね上げ方向へ付勢するコイルバネ１８が取り付けられている。コイルバネ１８には円筒形のカバー１７が被せてある。
なお、掛止部２９１の下部側はやや細く形成してあり、コイルバネ１８の装着後にはハンマーなどで叩いて変形させる。これにより、掛止部１２４が斜め下方へ切り込まれていることも相まって、コイルバネ１８は作動時の衝撃などによっても容易には外れない。
【００３７】
跳上アーム２と受アーム１には捕獲用のワイヤロープ５（図１参照）が装着される。ワイヤロープ５の先端部にはＵ板状の滑具５１が取り付けてある。ワイヤロープ５の先端部は滑具５１の一方の先部に貫通させてストッパー５２で止めてある。ワイヤロープ５は先部でループ状の捕獲部５０をつくり、滑具５１の基部に摺通可能に貫通させてある。
【００３８】
ワイヤロープ５はワイヤ挿通部２３９を通ってワイヤ絞り具２３に挿通され、滑車１１３の下部を通ってワイヤ案内具１１１に挿通されている。ワイヤロープ５の後部側は、更に跳上げ防止具１１５を通ってシャフト２０の通孔２５に取り付けてある番線２６で括られて、後方へ延ばしてある。なお、ワイヤロープ５において番線２６より後部側にはストッパーピン５４が差込んである。
ワイヤロープ５の後端部には猿環５３を介して延長ワイヤロープ６に接続されている。なお、延長ワイヤロープ６の後部は立ち木Ｗに括り付けられる。
【００３９】
（作  用）
図８は罠作動時における踏板受具の動きを示す説明図、図９は罠作動時における罠全体の動きを示す説明図である。図１ないし図９を参照して本実施の形態の作用を説明する。
（１）足括り罠Ａの跳上アーム２をコイルバネ１８の付勢力に抗して受アーム１側に回動させ、両アーム１、２の先端部を踏板受具３によって掛止し、跳上げ防止具１１５にストッパーネジ１１７を装着して蝶ネジ１２０で留めておく。
【００４０】
（２）足括り罠Ａを昼間の明るいうち、すなわち所定の明るさより明るいときに仕掛ける場合、作動制御装置７の光ファイバーＦによって光センサーに罠の周囲の明るさが伝えられ、ソレノイド７４が作動してロックピン７５は踏板受具３のロック孔３５に挿通され、踏板受具３はロック状態となっている（図６参照）。
【００４１】
（３）足括り罠Ａを図１、図８に示す状態で地面に仕掛ける。すなわち、固定棒ホルダー１３に木製の固定棒１３１を差し込んで固定する。地面に設置穴８を掘り、その底面に固定棒１３２を差し込んで足括り罠Ａを固定する。そして、ワイヤロープ５の捕獲部５０を拡げて受部材３０の拡開片３１に掛止する。捕獲部５０は受部材３０に載置される踏板４を囲むようにして拡げる。足括り罠Ａの上部には木の葉や土を適当に盛ってカムフラージュする。延長ワイヤロープ６の後部は立ち木Ｗに括り付ける。
【００４２】
（４）作動制御装置７のソレノイド７４が作動してロックピン７５が踏板受具３をロックした状態においては、例えば猟犬が踏板４を踏むと、その重さで踏板受具３は下方へ回動しようとするが、ロックピン７５で回動が阻止されるので、跳上アーム２の掛止が外れず、罠は作動しない。
【００４３】
（５）周囲が暗くなって光ファイバーＦで光センサーに伝えられる明るさが所定の明るさに満たなくなると、ソレノイド７４が上記とは逆に作動してロックピン７５が踏板受具３のロックを解除する。
この状態で、例えば捕獲対象獣が踏板４を踏むと、その重さで踏板受具３は掛止ピン７９を中心として下方へ回動し、跳上アーム２は掛止が外れて上方へ跳ね上がる。また、受アーム１の後部も同時に跳ね上がり、それと同時にワイヤロープ５のストッパーピン５４が番線２６に掛かり、更に滑具５１がワイヤ絞り具２３に当たり、捕獲部５０は目的獣の足に沿って上昇しながら急激に引き絞られて足を括る（図９参照）。
【００４４】
なお、ワイヤ絞り具２３のワイヤロープ案内部２３９は跳上アーム２の跳ね上がり時における跳上アーム２の軸線の作動平面と同一平面内に設けてあるので、罠作動時にワイヤ絞り具２３に瞬間的な荷重がかかったとき、滑車２３２がスムーズに回転し、アームを捻る方向に力が逃げることを防止できる。
従って、ワイヤの捕獲部５０を引き絞るタイミングが遅れることもなく、素早く十分な力で引き絞ることができ、目的獣を捕獲できる確率が高くなる。
【００４５】
（６）目的獣は捕獲されると力の限り暴れるので、番線２６は切れ、軸ネジ２３５、１１４も抜けて滑車２３２、１１３が外れ、ワイヤロープ５から受アーム１と跳上アーム２が離脱し、捕獲部５０で目的獣の足を括った状態でワイヤロープ５だけが残る（図９参照）。
なお、受アーム１の先端部の下部先端部材１１と、跳上アーム２の先端部の上部先端部材２１と、受アーム１と跳上アーム２の後部の受基部アーム１９と跳上基部アーム２９はロストワックス法による精密鋳造で型成形されており、各部が正確な寸法で形成されるので、作動も正確である。
また、従来の罠は、跳上げ防止具１１５、バネ掛止具１２３、受基部アーム１９、跳上基部アーム２９に相当する部分が罠作動時の衝突などによる衝撃で変形して使用できなくなることがあったが、本発明に係る足括り罠Ａでは上記各部分が十分な剛性を有しているので、変形を防止できる。
【００４６】
（７）夜が明けて罠の周囲が所定の明るさになると、踏板受具３はロック状態となり、罠は作動不能な状態になる。
【００４７】
上記したように作動制御部材であるロックピン７５は踏板受具３の下部掛止片３３の回動平面と交差するよう移動して踏板受具３のロック及びロック解除を行うので、踏板４が踏まれたときには下部掛止片３３によってロックピン７５を剪断する方向に荷重がかかる構造であるので、ロックピン７５の強度を強くすれば大荷重でも耐えることができる。
つまり、ロックピン７５を移動させるソレノイド７４には罠作動時の荷重がかからないので、大型のソレノイドは必要とせず、構造も簡単にできるので、罠を小型化でき、製造コストの安価にできる。
【００４８】
罠の製造にあたっては下部先端部材１１と上部先端部材２１及び受基部アーム１９と跳上基部アーム２９をシャフト１０とシャフト２０に溶接により固着するだけでよく、特に熟練を必要としないので足括り罠Ａの大量生産が可能で、製造コストも安価にできる。
また、シャフト１０、２０の長さを変えるだけで、設置場所の地形や目的獣など、仕掛けの条件に合った異なる大きさの罠を簡単に製造できる利点もある。
なお、図面に示した足括り罠Ａは大型の罠であるためコイルバネ１８の一端部はバネ掛止具１２３に掛けてあるが、シャフト１０、２０の長さを短くして小型の罠を製造する場合は、コイルバネ１８の一端部はバネ掛止具７１３に掛けられる。なお、このときバネ掛止具１２３が邪魔になるので切断する。
【００４９】
また、作動制御装置７に限時手段であるタイマー（図示省略）を設け、罠を仕掛けて例えば午前六時になると、上記と同様に踏板受具３をロックして罠が作動しないようにし、例えば午後六時になると踏板受具３のロックを解除して罠を作動可能な状態とすることもできる。
この構造によれば、任意の時間帯によって夜間には罠を作動可能なようにし、昼間には罠が作動しないようにする罠の制御ができるので、例えば悪天候で昼間暗い場合でも罠の周囲の明るさに関係なく確実に制御ができる。
【００５０】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００５１】
【発明の効果】
本発明は上記構成を備え、次の効果を有する。
（ａ）足括り罠の作動制御装置によれば、跳上アームを踏板受具等のトリガー手段で掛止して罠を仕掛けた後に、罠の周囲の明るさが所定の明るさより明るいときには作動制御部材が励磁手段等によって移動し、踏板受具の回動が阻止されて罠が作動不能となる。罠周囲の明るさが所定の明るさに満たないときには作動制御部材が踏板受具の回動を阻止しない位置に移動し罠が作動可能となる。
また、限時手段により制御するものにあっては、所定の時間帯においては作動制御部材が移動し、踏板受具の回動が阻止されて罠が作動不能となる。その他の時間帯においては作動制御部材が踏板受具の回動を阻止しない位置に移動し、罠が作動可能になる。
そして、作動制御部材は踏板受具の回動平面と交差するよう移動して踏板受具の回動阻止及び阻止解除を行うので、踏板が踏まれたときには作動制御部材を剪断する方向に荷重がかかり、作動制御部材の強度を強くすれば大荷重でも耐えることができる。
つまり、作動制御部材を移動させる機構部には罠作動時の荷重がかからないので、例えば、耐久性が高い大型のエアシリンダー等の駆動機構部を必要とせず、構造も簡単にできるので、罠を小型化でき、製造コストの安価にできる。
【００５２】
（ｂ）制御手段が、光センサーと、光センサーに罠の周囲の明るさを伝える光伝送手段とを含むものにあっては、
光伝送手段によって光センサーに伝えられる罠の周囲の明るさが所定の明るさより明るいときには、跳上アームを踏板受具で掛止して罠を仕掛けた後の踏板受具の回動が作動制御部材によって阻止され、罠が作動不能となる。
また、罠の周囲の明るさが所定の明るさに満たないときには踏板受具の回動が作動制御部材で阻止されないので罠が作動可能となる。
光伝送手段によれば光センサーから離れた場所の明るさを光センサーに伝えて検知できるので、例えば罠が地面の穴に仕掛られ、かつカムフラージュのために草や木の葉がかぶせてあるときでも、罠の周囲の明るさを光センサーに確実に伝えることが可能である。
【００５３】
（ｃ）作動制御部材がケースの内部に収容してあるものにあっては、罠のカムフラージュに使用される草や木の葉または土が回動阻止手段の作動を邪魔することはないので作動が安定する。従って、夜間に罠を作動可能なようにし、昼間には罠が作動しないようにする罠の制御が確実にできる。
【００５４】
（ｄ）受アームがシャフトと先端部材を備えており、ケースは先端部材と型成形により一体に形成してあるものにあっては、製造時において先端部材にケースを取着する組み立て工程が不要となるので、製造効率が向上する。また、一体化されることによって強度、耐久性が向上する。
【００５５】
（ｅ）先端部材がシャフトに着脱手段を介し固着してあるものにあっては、必要に応じて先端部材を他のものと交換できる。すなわち、例えば作動制御装置を使用しないときには、ケースが一体形成されていない先端部材と交換して、昼間の作動阻止等を行わない通常の罠としての使用が可能となる。
【００５６】
（ｆ）罠の作動制御装置を備えた罠にあっては、光センサーの感度の設定を適正に行うことによって、昼間の明るいときには罠を作動不能とし、夜になって暗くなれば罠を作動可能とする制御を自動的に行うことが可能となる。
また、限時手段によって罠の作動制御を行うものにあっては、悪天候により周囲が暗くなった場合でも影響なく制御ができ、昼間であるにも関わらず罠が作動不能になるような事態を防止できる。
これによって、昼間に猟犬や猟師が罠の踏板などを過って踏んでも罠は作動しないので怪我をすることはなく、作動後に罠を仕掛け直す手間もかからない。また、夜間に目的獣が踏板を踏めば罠は正常に作動する。
【図面の簡単な説明】
【図１】  本発明に係る足括り罠の一実施の形態を示す斜視図。
【図２】  図１に示す足括り罠の罠本体を示す側面図。
【図３】  下部先端部材に設けられた作動制御装置の分解斜視図。
【図４】  下部先端部材に設けられた作動制御装置の平面図。
【図５】  光ファイバーの取付構造を示す分解斜視図。
【図６】  踏板受具の係合構造を示す説明図。
【図７】  上部先端部材の斜視図。
【図８】  罠作動時における踏板受具の動きを示す説明図。
【図９】  罠作動時における罠全体の動きを示す説明図。
【符号の説明】
Ａ  足括り罠
１  受アーム
１０  シャフト
１１  下部先端部材
１１０  軸ロッド
１１１  ワイヤ案内具
１１２  軸孔
１１３  滑車
１１４  軸ネジ
１１５  跳上げ防止具
１１６  軸孔
１１７  ストッパーネジ
１１８  紐
１１９  挿通孔
１２０  蝶ナット
１２１  差込口
１２２  取着孔
１２３  バネ掛止具
１２４  掛止部
１２５  ボルト・ナット
７  作動制御装置
７０  軸体
７１、７２  ケース
７０１、７０２、７０３  収容空間部
Ｂ  電池
７３  制御基板
７４  ソレノイド
７５  ロックピン
７０４  蓋板
７０５  パッキンシート
７０６  取着ネジ
Ｆ  光ファイバー
７０７  装着孔
７０８  ネジ部
７０９  固定ボルト
７１０  挿通孔
７１１  座金
７１２  パッキン
７６  掛止隙間部
７７  ピン孔
７８  シール部材
７９  掛止ピン
７００  軸受部材
１３  固定棒ホルダー
１３０  軸ピン
１３１  受具
７１３  バネ掛止具
３  踏板受具
３０  受部材
３１  拡開片
３２  上部掛止片
３３  下部掛止片
３４  掛止凹部
３５  ロック孔
４  踏板
２  跳上アーム
２０  シャフト
２１  上部先端部材
２５  通孔
２２  軸ロッド
２３  ワイヤ絞り具
２４  差込口
２３０  側板
２３８  軸孔
２３１  ガード部
２３２  滑車
２３３  掛止片
２３４  平面部
２３５  軸ネジ
２３６  ゴムリング
２３７  ナット
２３９  ワイヤ挿通部
２７  軸ピン
１９  受基部アーム
１９０、２９０  差込口
１９１  ストッパー段部
２９  跳上基部アーム
２９０  差込口
２９１  掛止部
５  ワイヤロープ
５０  捕獲部
５１  滑具
５２  ストッパー
５３  猿環
５４  ストッパーピン
６  延長ワイヤロープ
【図１】
0003656679.tif 000002
【図２】
0003656679.tif 000003
【図３】
0003656679.tif 000004
【図４】
0003656679.tif 000005
【図５】
0003656679.tif 000006
【図６】
0003656679.tif 000007
【図７】
0003656679.tif 000008
【図８】
0003656679.tif 000009
【図９】
0003656679.tif 000010